(57)【要約】      （修正有）【課題】犯罪を事前に防止するのに役立つ警報装置を提供する。【解決手段】家の窓下または玄関マット下に敷設され、内部にテープ式スイッチが設置されたシート、シート接続されたコントローラー、コントローラーに接続された通信回路、通信回路に接続された音声報知器、及び、通信回路に接続された回転式警示灯からなる。シートの表面に重量が加わるとテープ式スイッチが作動し、その作動に応じて、コントローラーが通信回路を通じて、音声報知器及び回転式警示灯を連動作動させるとともに、近隣及び警備会社に警報を発する。【選択図】図５
0003191446.tif 000002
【実用新案登録請求の範囲】
【請求項１】
シートを家の窓下、玄関マット下などに敷設し、シート表面に重量を加えるとシート内部のスイッチが作動し、同時に音声報知、回転警示灯が通信回路を通じて連動作動し、近隣及び警備会社などに警報を発し、犯罪等を事前に予防することを特徴とする警報装置。
【考案の詳細な説明】
【技術分野】
【０００１】本考案は侵入者が板を踏むことによって警報装置が可動するものである。
【背景技術】
【０００２】従来の警報装置は人影策に関するものであり、人影が一定時間静止している場合など誤作動を起こし点灯しないという欠点があった。
【考案の概要】
【考案が解決しようとする課題】
【０００３】近年多発する防犯対策を事前に予防するための機器発明。
住宅・マンションその他の施設等へ無断で侵入せんとする人間又は動物等に対し通信回路を通じて警報を発し、犯罪等を事前に予防する目的を持って考案された防犯用の機器である。【０００４】従来の警報装置は人影策にタイマー機能を組み合わせたものであり、人影が一定時間静止していると人として認識されなくなり、人がいても消灯してしまうなどの誤作動が多かった。
この警報装置は敷設型のため外部からは機器を設置しているように見えない、４〜１５ｋｇの動作感度を設置しているため犬猫等の動物では警報が作動しないという両方の機能を備えた防犯装置であり、前述の欠点を解決しようとするものである。
【課題を解決するための手段】
【０００５】現在市場に出回っている商品は防犯カメラ型・センサ型（特殊）・警備会社との繋がりである。
この警報装置  図１に重量を加えるとスイッチが作動し、犯罪等を図６・図７が作動し、近隣に警報させ、犯罪を家の窓下または玄関マット下などに設置するため事故が起きる前に防ぐこととなる。
【考案の効果】
【０００６】この警報装置は庭のフェンス（内部）建物廻りの窓下・玄関のマット下に敷設し、設置表面には必ず人工芝その他で覆う設置をするため、外部からは防犯機器を設置しているように感じさせない。
【図面の簡単な説明】
【０００７】
【図１】警報装置スイッチ内部構造（規格品）
【図２】警報装置外部面
【図３】図６・図７結線図
【図４】入力切替スイッチ図  Ｃ−６０２・ＳＤ−３
【図５】コントローラ  Ｃ−６０２
【図６】犯罪等を音声報知
【図７】回転警示灯
【図８】基本動作はＯＮ・ＯＦＦによる動作図
【考案を実施するための形態】
【０００８】警報装置スイッチの１図動作感度は４〜１５ｋｇであり犬猫等の動物では作動しない。
図６が作動すると音声報知が８秒間の音声メモリー録音再生で３０秒間鳴動する。
図７が赤ランプ回転警示灯が作動すると点灯が３０秒間赤ランプ回転警示灯が点灯する。基本作動は図８のＯＮ・ＯＦＦのスイッチで外出、外泊などにはスイッチで操作ができる。
配線図  図５はマンションの管理室や警備会社とも設置できる。
図２・図３・図４・図５の配線図で警報装置のスイッチ、音声報知、回転警示灯が作動する配置図である。
配線図は電源が１００Ｖで作製してあるので家庭に設置できる。
【産業上の利用可能性】
【０００９】この警報装置はマット幅の大小と増設が可能なため、住宅・マンションその他の施設等のみならず企業向けにも利用可能である。
【図１】
0003191446.tif 000003
【図２】
0003191446.tif 000004
【図３】
0003191446.tif 000005
【図４】
0003191446.tif 000006
【図５】
0003191446.tif 000007
【図６】
0003191446.tif 000008
【図７】
0003191446.tif 000009
【図８】
0003191446.tif 000010
【手続補正書】
【提出日】平成25年10月15日(2013.10.15)
【手続補正１】
【補正対象書類名】実用新案登録請求の範囲
【補正対象項目名】全文
【補正方法】変更
【補正の内容】
【実用新案登録請求の範囲】
【請求項１】
シートを家の窓下、玄関マット下などに敷設することにより、
（１）シート表面に重量が加わるとシート内部のスイッチが作動、
（２）音声報知、回転式警示灯が通信回路を通じて同時に連動作動、
以上の（１）〜（２）の構成から近隣及び警備会社などに警報を発し、犯罪等を事前に予防することを特徴とする警報装置。
【手続補正２】
【補正対象書類名】図面
【補正対象項目名】図３
【補正方法】変更
【補正の内容】
【図３】
0003191446.tif 000011
【手続補正３】
【補正対象書類名】図面
【補正対象項目名】図５
【補正方法】変更
【補正の内容】
【図５】
0003191446.tif 000012
【手続補正書】
【提出日】平成26年1月21日(2014.1.21)
【手続補正１】
【補正対象書類名】実用新案登録請求の範囲
【補正対象項目名】全文
【補正方法】変更
【補正の内容】
【実用新案登録請求の範囲】
【請求項１】
シートを家の窓下、玄関マット下などに敷設することにより、
（１）シート表面に重量が加わるとシート内部のテープスイッチが作動、
（２）コントローラーＣ−６０２の入力・出力端子に伝動し、通信回路ＳＤ−３が作動、
（３）通信回路ＳＤ−３から音声報知器、回転式警示灯が警報点灯し、警備会社等にも同時に警報連動、
以上の（１）〜（３）の構成から近隣及び警備会社などに警報を発し、犯罪等を事前に予防することを特徴とする警報装置。
【手続補正書】
【提出日】平成26年4月3日(2014.4.3)
【手続補正１】
【補正対象書類名】実用新案登録請求の範囲
【補正対象項目名】全文
【補正方法】変更
【補正の内容】
【実用新案登録請求の範囲】
【請求項１】
（１）家の窓下または玄関マット下に敷設されるシートであって、内部にテープ式スイッチが設置されたシート、
（２）前記シート接続されたコントローラー、
（３）前記コントローラーに接続された通信回路、
（４）前記通信回路に接続された音声報知器、及び、
（５）前記通信回路に接続された回転式警示灯、
以上の（１）〜（５）の構成からなり、
前記シートの表面に重量が加わると前記テープ式スイッチが作動し、その作動に応じて、前記コントローラーが前記通信回路を通じて、前記音声報知器及び前記回転式警示灯を連動作動させるとともに、近隣及び警備会社に警報を発することを特徴とする警報装置。
【手続補正２】
【補正対象書類名】明細書
【補正対象項目名】０００７
【補正方法】変更
【補正の内容】
【０００７】
【図１】警報装置スイッチ内部構造（規格品）
【図２】警報装置外部面
【図３】図６・図７結線図
【図４】入力切替スイッチ図  コントローラー・通信回路
【図５】コントローラー
【図６】犯罪等を音声報知
【図７】回転警示灯
【図８】基本動作はＯＮ・ＯＦＦによる動作図
【手続補正３】
【補正対象書類名】図面
【補正対象項目名】図３
【補正方法】変更
【補正の内容】
【図３】
0003191446.tif 000013
【手続補正４】
【補正対象書類名】図面
【補正対象項目名】図４
【補正方法】変更
【補正の内容】
【図４】
0003191446.tif 000014
【手続補正５】
【補正対象書類名】図面
【補正対象項目名】図５
【補正方法】変更
【補正の内容】
【図５】
0003191446.tif 000015